(57)【要約】  本発明は、衣料品を身体に開放可能に取り付けるシステムに関する。当該システムは、衣料品に取り付けるための第１の固定素子（２−１、３−１）、身体に付着するための第２の固定素子（２−２、３−２）、を有し、両方の固定素子は共同接続手段を具えられる。本発明によるシステムは、少なくとも第２の固定素子が実質的に硬い材料から製造され、前記第２の固定素子が実質的に平坦な付着表面を具え、共同接続手段が前記第１及び前記第２の固定素子の実質的に中央に配置され、前記接続手段がスライド接続を形成する、ことを特徴とする。
2013519803.tif 000002
【特許請求の範囲】
【請求項１】
衣料品を身体に開放可能に取り付けるシステムであって、前記衣料品に取り付けるための第１の固定素子、前記身体に付着するための第２の固定素子、を有し、前記の両方の固定素子は、共同接続手段を具え、前記第２の固定素子は実質的に硬い材料から製造され、前記第２の固定素子は実質的に平坦な付着表面を具え、前記共同接続手段は、前記第１の固定素子及び前記第２の固定素子の実質的に中央に配置され、前記接続手段はスライド接続を形成する、システム。
【請求項２】
前記スライド接続は、前記第１の固定素子又は前記第２の固定素子に配置された縁、前記第１の固定素子又は前記第２の固定素子に配置された閉端、を有し、前記縁と前記閉端とは共同する、請求項１に記載のシステム。
【請求項３】
前記接続手段は、前記第１の固定素子の周りの縁と、前記第２の固定素子の上の閉端を有する高台と、を具え、前記閉端と前記高台は前記縁を受けるためのものである、請求項２に記載のシステム。
【請求項４】
前記縁は円形であり、前記高台及び前記閉端はＵ字形である、請求項３に記載のシステム。
【請求項５】
前記縁は、１又は複数の溝のような凹部の縁により前記第１の固定素子に形成され、前記閉端は前記第２の固定素子の高台に配置され、前記溝のような凹部の幅は前記閉端の最小の幅よりも小さく、前記高台の最大の幅は前記溝のような凹部の幅よりも小さい、請求項２に記載のシステム。
【請求項６】
前記溝のような凹部は、前記閉端が通るための隣接する通路を有する、請求項５に記載のシステム。
【請求項７】
前記高台及び前記溝のような凹部の断面の形状は、前記第１の固定部が前記第２の固定部に対して回転可能なように共同する、請求項５又は６に記載のシステム。
【請求項８】
請求項１乃至７のいずれか一項に記載のシステムを具えた衣料品。
【請求項９】
請求項１乃至７のいずれか一項に記載のシステムの構成要素として記載された第２の固定素子として用いられる固定素子。
【発明の詳細な説明】
【技術分野】
【０００１】
本発明は、衣料品を身体に開放可能に取り付けるシステムに関する。当該システムは、衣料品に取り付けるための第１の固定素子、身体に付着するための第２の固定素子、を有し、両方の固定素子は共同接続手段を具えられる。
【背景技術】
【０００２】
このようなシステムは、米国特許出願ＵＳ２００９／００９３１９０として出願されこれに記載されている。この特許出願に記載されているのは、ブラジャー内に適用されるシステムことがプリアンブルに記載されている。このため、ブラジャーのユーザは、２片の布を身体の片側に付着させなければならない。布片及びブラジャーは、共同接続手段を具えられ、ブラジャーを取り付けるために、かぎホックが２つの布片の外側の端に取り付けられる。
【０００３】
知られているシステムは、システムがブラジャーにおける適用に限られるという欠点を有する。さらに、知られているシステムは、布片が皮膚の比較的大面積に付着しなければならないという欠点を有する。
【発明の概要】
【発明が解決しようとする課題】
【０００４】
本発明の目的は、上述の欠点を有しない、プリアンブルに述べられた種類のシステムを提供することである。
【課題を解決するための手段】
【０００５】
この目的のために、本発明によるシステムは、少なくとも第２の固定素子が実質的に硬い材料から製造され、前記第２の固定素子が実質的に平坦な付着表面を具え、共同接続手段が前記第１及び前記第２の固定素子の実質的に中央に配置される、という特徴を有する。第２の固定素子を硬い材料で実現することにより、皮膚に付着する表面は、衣料品に対して比較的小さく保つことができる。これは、着心地を向上させる。さらに、適切な種類の接着剤は、知られているシステムにおけるような繊維表面よりも硬い表面の方が良好に機能する。
【０００６】
本発明によるシステムは、ブラジャーに限定されず、接続手段が固定素子の中央の位置にあることにより、皮膚に直接接触する考え得る任意の衣料品に広く適用できる。
【０００７】
請求項１のプリアンブルに記載のシステムは、業界に知られており、米国特許出願ＵＳ２００３／０１２９９３に記載されている。知られているシステムでは、第１の固定素子は、押圧接続又はベルクロ（velcro）接続により、第２の固定素子に接続される。実際には、これらの接続は、システムを身体に接続するまたは身体から剥がすために押す又は引っ張る動きを行わなければならないので、システムのユーザにとって非常に心地が悪い。これは、結果として、ユーザの皮膚が押されるか引き伸ばされ、不快な感覚を引き起こす。
【０００８】
本発明の目的は、上述の欠点を取り除く、請求項１のプリアンブルによるシステムを提供することである。
【０００９】
本発明によるシステムは、この目的のために、接続手段がスライド接続を形成するという特徴を有する。スライド接続は、衣料品が簡単に皮膚に取り付けられるという利点を有する。
【００１０】
システムの実用的な実施形態では、前記スライド接続は、前記第１の固定素子又は前記第２の固定素子に配置された縁、前記第１の固定素子又は前記第２の固定素子に配置された閉端、を有し、前記縁と前記閉端とは共同する。これにより、システムの高さは、実質的に縁の厚さ及び閉端の高さに限られ、これは平坦な構造をもたらす。この寸法は、システムの着心地を更に向上させる。知られている接続に比べて、スライド接続の比較的平坦な構造は、本発明によるシステムの使用中にシステムからユーザが殆ど不便を受けないという利点も有する。システムの限られた小さなサイズにより、システムは、衣類に完全に統合され、それにより使用中に殆ど見えない。
【００１１】
本発明によるシステム第１の好適な実施形態では、前記接続手段は、前記第１の固定素子の周りの縁と、前記第２の固定素子の上の閉端を有する高台と、を具え、前記閉端と前記高台は前記縁を受けるためのものである。
【００１２】
望ましくは、縁は円形であり、高台と閉端とはＵ字形であり、第１の固定素子はボタン形である。
【００１３】
第２の代替の好適な実施形態では、前記縁は、１又は複数の溝のような凹部の縁により前記第１の固定素子に形成され、前記閉端は前記第２の固定素子の高台に配置され、前記溝のような凹部の幅は前記閉端の最小の幅よりも小さく、前記高台の最大の幅は前記溝のような凹部の幅よりも小さい。
【００１４】
望ましくは、溝のような凹部は、閉端が通るための隣接する通路を有する。
【００１５】
望ましくは、前記高台及び前記溝のような凹部の断面の形状は、前記第１の固定部が前記第２の固定部に対して回転可能なように共同する。これは、システムの着心地を更に向上させる。
【００１６】
第１の固定素子の平坦な構造は、縫い付け可能な大きな表面積が生成され、それにより、第１の固定素子が衣料品にしっかりと接続できるという利点を有する。
【００１７】
本発明は、本発明によるシステムを具えた衣料品にも関する。
【００１８】
さらに、本発明は、本発明によるシステムの構成要素として記載された第２の固定素子として用いられる固定素子に関する。
【００１９】
本発明は、添付の図面を参照してより詳細に説明される。
【図面の簡単な説明】
【００２０】
【図１】本発明による、ビキニが身体に取り付けられるシステムを示す。
【図２】本発明によるシステムの第１の好適な実施形態を示す。
【図３】本発明によるシステムの第２の好適な実施形態を示す。
【図４】システムの第２の好適な実施形態の第１の固定部の代替の好適な実施形態を示す。
【発明を実施するための形態】
【００２１】
図１（Ｆｉｇ．１ａ〜１ｌ）は、本発明によるシステムの好適な実施形態によるシステムを示す。このシステムでは、説明を目的として、ビキニが身体に取り付けられる。
【００２２】
Ｆｉｇ．１ａ〜１ｃは、第２の固定素子１−１が取り付けられる身体１−２を示す。第２の固定素子の位置は、衣料品が最適に支持されるように、及び衣料品が取り付けられた後に第２の固定素子１−１が実質的に見えないように、選択され得る。
【００２３】
Ｆｉｇ．１ｄ〜１ｆは、ビキニ１−３が身体１−２に本発明によるシステムを用いて取り付けられている身体１−２を示す。このシステムは、Ｆｉｇ．２のように具現化される。第１及び第２の固定素子は、ここでは隠されている。
【００２４】
Ｆｉｇ．１ｇ〜１ｉは、ビキニ１−３が身体１−２に本発明によるシステムを用いて取り付けられた身体１−２を示す。ここで、第２の固定素子１−１は球状の突起を設けられ、対応する第１の固定素子１−４は、球状の突起を受けるビキニ内の補強された穴を用いてビキニ内に形成される。
【００２５】
Ｆｉｇ．１ｊ〜１ｌは、ビキニ１−３が身体１−２に本発明によるシステムを用いて取り付けられた身体１−２を示す。ここで、第２の固定素子１−１は球状の突起を設けられ、対応する第１の固定素子１−５は、球状の突起を受けるビキニ内のループを用いてビキニ内に形成される。
【００２６】
図２は、本発明によるシステムの第１の好適な実施形態２を示す。システム２は、第１の固定素子２−１及び第２の固定素子２−２により形成される。第１の固定素子２−１は、望ましくは円筒形であり、プラスチックで具現化され、縁２−３を設けられる。第１の固定素子２−１は、衣料品（示されない）に取り付けるためのものである。第１の固定素子２−１は、この目的のために、穴２−４を設けられ、第１の固定素子２−１が紐（thread）を用いて衣料品に取り付けられるようになっている。さらに、留め具２−５により、第１の固定素子２−１を衣料品に取り付けることも可能である。留め具２−５は、ここで、衣料品の線維を通じて圧迫される。留め具２−５のピン２−６は、第１の固定素子２−１の対応する穴２−７に受けられ固定される。
【００２７】
第２の固定素子２−２は、平坦な側面を設けられ、堅い材料で、望ましくはプラスチックから作られる。平坦な側面は、目的に適した接着剤により身体に取り付けるためのものである。接着剤は、ここで、既に平坦な側面に適用され得る。裏当てフィルムは、身体に取り付けるために剥がされなければならない。接着剤は別個に適用されてもよい。固定素子は、望ましくはＵ形を形成する高台（elevation）２−８を設けられる。閉端２−９は、高台２−８の上に配置される。第１の固定素子２−１は、縁２−３を高台２−８内にスライドすることにより、第２の固定素子２−２に留められる。第１の固定素子２−１は、ここで、少なくとも１つの安全突起２−１０により位置が保持される。第２の固定素子２−２は、望ましくは、留め具２−５のピン２−６を受けるための凹部２−１１を更に設けられる。
【００２８】
図３は、本発明によるシステムの第２の好適な実施形態３を示す。システム３は、第１の固定素子３−１及び第２の固定素子３−２により形成される。溝のような凹部３−５は、第１の固定素子３−１内に配置される。第１の固定素子３−１は、衣料品（示されない）に取り付けるためのものである。第２の固定素子３−２は、高台３−８に配置される閉端３−９を設けられる。第２の固定素子３−２は、身体に取り付けるためのものであり、第１の好適な実施形態の第２の固定素子２−２と同じように身体に接続される。第１の固定素子３−１は第２の固定素子３−２に接続される。また、高台３−８は、溝のような凹部３−５が閉端３−９により固定された後に、溝のような凹部３−５を通じてスライドされる。第１の固定素子３−２は、望ましくは、閉端３−９が通るための通路３−４を有する。溝のような凹部３−５の長さは、このように限定され得る。第２の好適な実施形態は、望ましくは、ストレッチ衣類に適用される。ここで、第１の固定素子と第２の固定素子との間の接続は、ストレッチ衣類を引っ張る動作に起因する張力を受けて位置付けられる。第１の固定素子３−１は、望ましくは、平坦な表面３−１０を有し、望ましくはプラスチックで具現化される。第１の固定素子３−１は、望ましくは、衣料品内に、例えば破線で示された位置に、縫い込まれる。システムを可能な限り閉端に保つために、高台３−８の高さは縁３−３の厚さとほぼ等しいことが推奨される。ここで、システムの組み立てられた位置において、縁３−３と閉端３−９との間には間隔があり、この間隔は、第１の固定素子３−１が第２の固定素子３−２内でスライドすることを可能にしている。
【００２９】
図４は、本発明によるシステムの第２の好適な実施形態３の第１の固定部３−１の代替の好適な実施形態を示す。図４のｄでは、固定部３−１は、複数の溝のような凹部を有し、固定部３−１は、異なる角度（α、β、θ）に３つの対応する角点を有する。これにより、異なる衣料品のために固定部３−１を製造することが可能であり、最も適切な角度が固定部３−１を衣類に取り付けるために選択できる。
【００３０】
図３の固定部３−２の代替として、固定部３−２は、それぞれ高台３−８を有する複数の閉端３−９を備えてもよい。これにより、システムのユーザは、固定部３−１が取り付けられる固定部３−２の閉端３−９について選択肢を有する。
【００３１】
本発明は、記載され示された好適な実施形態に限定されず、前述の記載及び添付の図面を参照して分かるように、請求の範囲に定められた保護の範囲内に包含される任意の実施形態にも及ぶ。
【図１ａ】
2013519803.tif 000003
【図１ｂ】
2013519803.tif 000004
【図１ｃ】
2013519803.tif 000005
【図１ｄ】
2013519803.tif 000006
【図１ｅ】
2013519803.tif 000007
【図１ｆ】
2013519803.tif 000008
【図１ｇ】
2013519803.tif 000009
【図１ｈ】
2013519803.tif 000010
【図１ｉ】
2013519803.tif 000011
【図１ｊ】
2013519803.tif 000012
【図１ｋ】
2013519803.tif 000013
【図１ｌ】
2013519803.tif 000014
【図２】
2013519803.tif 000015
【図３】
2013519803.tif 000016
【図４ａ】
2013519803.tif 000017
【図４ｂ】
2013519803.tif 000018
【図４ｃ】
2013519803.tif 000019
【図４ｄ】
2013519803.tif 000020
【国際調査報告】
2013519803.tif 000021
2013519803.tif 000022